(57)【要約】【課題】  無点灯時のパターン見えを軽減できる液晶表示パネルの提供。【解決手段】  一方の面側にパターン形成されたセグメント電極が設けられた第１の透明基板と、一方の面側に共通電極が設けられた第２の透明基板とが、それぞれの電極が所定のギャップ差をもって対向状態で配置され、且つそれぞれの透明基板間に液晶が封入されてなる液晶表示パネルであって、前記セグメント電極の厚さが前記共通電極の厚さよりも薄く、前記第１の透明基板のセグメント電極のない部分と前記共通電極との間のギャップ差Ａと、前記セグメント電極と共通電極との間のギャップ差Ｂとの差（Ａ−Ｂ）が、０．１μｍ以下であることを特徴とする液晶表示パネル。【選択図】  図１
2007034003.tif 000002
【特許請求の範囲】
【請求項１】
一方の面側にパターン形成されたセグメント電極が設けられた第１の透明基板と、一方の面側に共通電極が設けられた第２の透明基板とが、それぞれの電極が所定のギャップ差をもって対向状態で配置され、且つそれぞれの透明基板間に液晶が封入されてなる液晶表示パネルであって、
前記セグメント電極の厚さが前記共通電極の厚さよりも薄く、
前記第１の透明基板のセグメント電極のない部分と前記共通電極との間のギャップ差Ａと、前記セグメント電極と共通電極との間のギャップ差Ｂとの差（Ａ−Ｂ）が、０．１μｍ以下であることを特徴とする液晶表示パネル。
【請求項２】
前記第２の透明基板に電子部品が搭載され、前記電子部品と前記共通電極が接続されていることを特徴とする請求項１に記載の液晶表示パネル。
【請求項３】
前記セグメント電極と共通電極がＩＴＯにより形成されていることを特徴とする請求項１又は２に記載の液晶表示パネル。
【発明の詳細な説明】
【技術分野】
【０００１】
本発明は、液晶表示パネルに関し、特に、無点灯時のパターン見えを軽減することが可能な液晶表示パネルに関するものである。
【背景技術】
【０００２】
図２は、液晶表示パネルの概略構成を示す平面図である。この液晶表示パネル１０は、縁部に駆動用ＩＣなどの電子部品１１が搭載され、該電子部品１１に接続されて基板の縁に延びる端子部１２が設けられた大基板１３と、該大基板１３に所定のギャップ差をもって重ねられた小基板１４と、これらの大基板１３と小基板１４との間に封入された液晶１５とを備えている。小基板１４の中央部には、液晶表示がなされる表示部が設けられている。なお、この液晶表示パネル１０には、図示していないバックライト光源装置や視認側に積層された偏光板などが設けられている。
【０００３】
また図３は、所定の表示パターンを適宜点滅させることで、数字、文字、マークなどを表示するタイプの液晶表示パネルの従来例を示す断面図である。この液晶表示パネル２０は、一方の面側にパターン形成されたセグメント電極２１が設けられた透明基板２２と、一方の面側に共通電極２３が設けられた透明基板２４とが、それぞれの電極２１，２３が所定のギャップ差Ｂをもって対向状態で配置され、且つそれぞれの透明基板２２，２４間に液晶２５が封入された構成になっている。
【０００４】
前述したように、所定の表示パターンを適宜点滅させることで、数字、文字、マークなどを表示するタイプの液晶表示パネルにあっては、セグメント電極２１が厚いと、液晶表示パネルの無点灯時にセグメント電極２１の形成パターンが見える現象（以下、「パターン見え」と記す。）が生じ、無点灯時に表示部の見栄えが悪くなる恐れがある。従来、無点灯時のパターン見えを軽減させるために、偏光膜の光軸を変化させるなどの工夫をしたり、各透明基板２２，２４としてＩＴＯ膜などからなる電極の膜厚を可能な限り薄くした高抵抗基板を用いるなどの対策をとっている。
【発明の開示】
【発明が解決しようとする課題】
【０００５】
しかしながら、チップオングラス（chip on glass：ＣＯＧ）タイプの液晶表示パネルでは、フレキシブルプリント配線板から電子部品への引き回しの抵抗を抑えるため、図２に示す大基板１３側にはＩＴＯ膜を厚く形成した低抵抗基板を使用する必要があった。図３に示す従来の液晶表示パネル２０においては、一方の透明基板２２のセグメント電極２１を厚く形成することによって、セグメント電極側の透明基板２２を低抵抗基板（大基板１３）とし、薄いＩＴＯ膜からなる共通電極２３が設けられた透明基板２４を高抵抗基板（小基板１４）としている。そして、このようにセグメント電極２１が厚くなると、透明基板２２のセグメント電極２１のない部分と共通電極２３との間のギャップ差Ａと、セグメント電極２１と共通電極２３との間のギャップ差Ｂとの差（Ａ−Ｂ）が大きくなり、前述した「パターン見え」が生じる問題があった。
【０００６】
本発明は、前記事情に鑑みてなされ、無点灯時のパターン見えを軽減できる液晶表示パネルの提供を目的とする。
【課題を解決するための手段】
【０００７】
前記目的を達成するため、本発明は、一方の面側にパターン形成されたセグメント電極が設けられた第１の透明基板と、一方の面側に共通電極が設けられた第２の透明基板とが、それぞれの電極が所定のギャップ差をもって対向状態で配置され、且つそれぞれの透明基板間に液晶が封入されてなる液晶表示パネルであって、
前記セグメント電極の厚さが前記共通電極の厚さよりも薄く、
前記第１の透明基板のセグメント電極のない部分と前記共通電極との間のギャップ差Ａと、前記セグメント電極と共通電極との間のギャップ差Ｂとの差（Ａ−Ｂ）が、０．１μｍ以下であることを特徴とする液晶表示パネルを提供する。
【０００８】
本発明の液晶表示パネルにおいて、前記第２の透明基板に電子部品が搭載され、前記電子部品と前記共通電極が接続されていることが好ましい。
【０００９】
本発明の液晶表示パネルにおいて、前記セグメント電極と共通電極がＩＴＯにより形成されていることが好ましい。
【発明の効果】
【００１０】
本発明の液晶表示パネルは、第１の透明基板のセグメント電極のない部分と前記共通電極との間のギャップ差Ａと、前記セグメント電極と共通電極との間のギャップ差Ｂとの差（Ａ−Ｂ）を０．１μｍ以下としたものなので、セグメント電極が薄くなり、無点灯時のパターン見えを軽減できる。
【発明を実施するための最良の形態】
【００１１】
以下、図面を参照して本発明の実施形態を説明する。
図１は、本発明の液晶表示パネルの一実施形態を示す断面図である。本実施形態の液晶表示パネル３０は、一方の面側にパターン形成されたセグメント電極３１が設けられた第１の透明基板３２と、一方の面側に共通電極３３が設けられた第２の透明基板３４とが、それぞれの電極３１，３５が所定のギャップ差Ｂをもって対向状態で配置され、且つそれぞれの透明基板３２，３４間に液晶３５が封入された構造を有している。さらに、本実施形態の液晶表示パネル３０は、第１の透明基板３２のセグメント電極３１のない部分と共通電極３３との間のギャップ差Ａと、セグメント電極３１と共通電極３３との間のギャップ差Ｂとの差（Ａ−Ｂ）が、０．１μｍ以下となっている。
【００１２】
本実施形態において、液晶表示パネル３０の各構成要素は、液晶表示パネルとして必要な特性（透明基板における光透過性、電極における導電性及び光透過性など）を有していれば特に限定されず、従来より液晶表示パネルなどの製造に用いられている同様の部材などを用いることができる。例えば、第１、第２の透明基板３２，３４としては、一方の面側に所定の厚さのＩＴＯ膜を成膜したガラス基板などを用いることが好ましい。なお、この液晶表示パネル３０には、図示していないバックライト光源装置や偏光板などが設けられている。
【００１３】
本実施形態において、セグメント電極３１の厚さは、共通電極３３よりも薄くなっており、セグメント電極３１の厚み方向の抵抗値は、共通電極３３の厚み方向の抵抗値よりも高くなっている。本実施形態の構造をチップオングラス（chip on glass：ＣＯＧ）タイプの液晶表示パネルに適用する場合には、第２の透明基板３４を低抵抗基板（大基板１３）として用い、第１の透明基板３２を高抵抗基板（小基板１４）とすればよい。すなわち、駆動用ＩＣなどの電子部品は共通電極３３が形成された低抵抗基板に搭載され、電子部品は少なくとも共通電極３３に接続されている。
【００１４】
本実施形態では、第１の透明基板３２のセグメント電極３１のない部分と共通電極３３との間のギャップ差Ａと、セグメント電極３１と共通電極３３との間のギャップ差Ｂとの差（Ａ−Ｂ）を０．１μｍ以下としている。この差（Ａ−Ｂ）は、実質的にセグメント電極３１の厚みであり、セグメント電極３１を設けた第１の透明基板３２は、高抵抗基板として用いる。一方、共通電極３３は、第２の透明基板３４を低抵抗基板として用いることができるように、セグメント電極３１よりも厚く形成している。このように構成することで、チップオングラスタイプの液晶表示パネルに適用する場合にも、セグメント電極３１の厚みを薄くできる。
【００１５】
本実施形態の液晶表示パネルは、第１の透明基板３２のセグメント電極３１のない部分と共通電極３３との間のギャップ差Ａと、セグメント電極３１と共通電極３３との間のギャップ差Ｂとの差（Ａ−Ｂ）を０．１μｍ以下としたものなので、セグメント電極３１が薄くなり、無点灯時のパターン見えを軽減できる。
【００１６】
なお、本発明の液晶表示パネルの駆動方式は特に限定されず、パッシブマトリックス駆動方式でもよいし、アクティブマトリックス駆動方式（例えばＴＦＴ方式）でもよい。アクティブマトリックス駆動方式を採用した場合には、共通電極を基板全面に亘ってほぼ均一な厚さのベタ電極とし、セグメント電極は、マトリックス状に複数配列された矩形状の画素電極とすることが望ましい。また、セグメント電極の各ドットにＴＦＴ(Thin Film Transistor)等のアクティブ素子を設けることで各ドットの点灯を制御することが望ましい。
また、本発明は、モノクロ表示型の液晶表示パネルに必ずしも限定されるものではなく、赤，緑，青の３原色に対応した３つのドット（サブピクセル）によって１つの単位画素（ピクセル）が構成されたカラー液晶表示パネルであってもよい。この場合、フルドット表示領域には、赤，緑，青の３原色に対応したカラーフィルタを周期的に配列することによって、任意のカラー画像を表示することができる。一方、セグメント表示領域には、単色のカラーフィルタを設けることによって、単色のカラー表示を行うことができる。
さらに、本発明では、上述したモノクロ型の液晶表示パネルを用いて、バックライトに赤，緑，青の３原色に対応した各光源を配置し、これら各光源が出射する色光をフィールドシーケンシャル駆動方式により制御しながらカラー表示を行うこともできる。
また、バックライトや偏光板の配置方法も限定されず、例えば、液晶表示パネルの背面側に直線偏光板を配置し、液晶表示パネルの正面側に温度補償型楕円偏光板を配置した構成や、液晶表示パネルの背面側及び正面側に偏光板を配置し、さらに液晶表示パネルの光学補償を行うための光学補償板を、その背面側又は正面側の少なくとも一方側に配置した構成とすることもできる。
また、本発明は、透過型の液晶表示パネルに必ずしも限定されるものではなく、場合によっては半透過型や反射型の液晶表示パネルとすることもできる。
【実施例】
【００１７】
［実施例］
縦１５ｍｍ、横３２ｍｍ、厚さ０．４ｍｍのガラス基板の一方の面側中央部に、スパッタリング法によって厚さ３０ｎｍのＩＴＯ膜をパターン形成し、小基板とする第１の透明基板を作製した。
一方、縦１９ｍｍ、横３２ｍｍ、厚さ０．４ｍｍのガラス基板の一方の面側中央部に、スパッタリング法によって厚さ３００ｎｍのＩＴＯ膜を均一な厚さに形成し、大基板とする第２の透明基板を作製した。この第２の透明基板の縁部には、フレキシブル配線板との接続用の端子部と駆動用ＩＣとを実装した。
前記第１の透明基板と第２の透明基板とを、図１中符号Ａで示すギャップ差が６．０３μｍ、Ｂで示すギャップ差が６．０μｍ、それらの差（Ａ−Ｂ）が０．０３μｍとなるように固定すると共に、それぞれの基板間に液晶を封入し、本発明に係る液晶表示パネルを作製した。
得られた実施例の液晶表示パネルは、電極間に電圧を印加することで明瞭な液晶表示が可能であり、無点灯時のパターン見えは目視で確認できない程度であった。
【００１８】
［比較例］
ガラス基板に厚さ３０ｎｍのＩＴＯ膜を均一な厚さで形成した小基板と、ガラス基板に厚さ３００ｎｍのＩＴＯ膜をパターン形成した大基板とを用い、それ以外は実施例と同様にして、（Ａ−Ｂ）が０．２７μｍとなる図３に示す構成の液晶表示パネルを作製した。
得られた比較例の液晶表示パネルは、電極間に電圧を印加することで明瞭な液晶表示が可能であったが、無点灯時のパターン見えが認められた。
【図面の簡単な説明】
【００１９】
【図１】本発明の液晶表示パネルの一実施形態を示す断面図である。
【図２】液晶表示パネルの概略構成を示す平面図である。
【図３】従来の液晶表示パネルの一例を示す断面図である。
【符号の説明】
【００２０】
３０…液晶表示パネル、３１…セグメント電極、３２…第１の透明基板、３３…共通電極、３４…第２の透明基板、３５…液晶。
【図１】
2007034003.tif 000003
【図２】
2007034003.tif 000004
【図３】
2007034003.tif 000005